(57)【特許請求の範囲】
【請求項１】
被検眼を照明する照明光学系と、観察撮影を行う観察撮影光学系とを備えた眼科撮影装置において、前記観察撮影光学系の撮像素子により得られた被検眼像の複数部位の光量を検出し、前記複数部位間の光量を比較することにより前記両光学系の上下左右への移動方向を決定する光量検出手段と、該光量検出手段による移動方向の決定に応じて前記両光学系を共に移動する光学系移動手段とを備えたことを特徴とする眼科撮影装置。
【請求項２】
前記光量検出手段は前記複数部位の光量を閾値と比較する請求項１に記載の眼科撮影装置。
【請求項３】
前記光量を検出する複数部位は、眼底像の中心から略対称位置の眼底像の周辺部とした請求項１に記載の眼科撮影装置。
【請求項４】
前記光量検出手段は、前記複数部位の光量がほぼ等しい値で増大している場合には、前記両光学系の前後への移動方向を決定する請求項１に記載の眼科撮影装置。
【発明の詳細な説明】
【０００１】
【発明の属する技術分野】
本発明は、眼科病院等で被検眼の観察、撮影を行うために使用される眼科撮影装置に関するものである。
【０００２】
【従来の技術】
従来から、眼科病院において眼底カメラにより被検眼の眼底を観察撮影する際には、検者が手動操作によってアライメントの粗調整や微調整を行っている。
【０００３】
【発明が解決しようとする課題】
しかしながら、従来例のような手動によるアライメントでは、特に微調整に時間を要し、位置合わせが極めて困難な作業となってる。更に、アライメントを適正位置に合わせた後でも、適正位置からのずれが発生する度に補正を行わなければならず、特に長時間の観察撮影を必要とする蛍光撮影の場合には、途中でアライメントがずれたために撮影に失敗するということが度々発生している。従って、被検者は顔や目を固定し観察撮影中は動かないようにしていなければならないので、被検者にとって多大な負担を与える結果となっている。
【０００４】
本発明の目的は、上述の問題点を解消し、アライメントの微調整を自動的に行い、被検者の負担を軽減して撮影の失敗を回避した操作性に優れた眼科撮影装置を提供することにある。
【０００５】
【課題を解決するための手段】
上記目的を達成するための本発明に係る眼科撮影装置は、被検眼を照明する照明光学系と、観察撮影を行う観察撮影光学系とを備えた眼科撮影装置において、前記観察撮影光学系の撮像素子により得られた被検眼像の複数部位の光量を検出し、前記複数部位間の光量を比較することにより前記両光学系の上下左右への移動方向を決定する光量検出手段と、該光量検出手段による移動方向の決定に応じて前記両光学系を共に移動する光学系移動手段とを備えたことを特徴とする。
【０００７】
【発明の実施の形態】
本発明を図示の実施例に基づいて詳細に説明する。
図１は実施例の眼底カメラの構成図を示し、基台１上には移動機構部２を介して測定部３が載置されており、測定部３の検者側には粗調整用の操作桿４、微調整開始スイッチ５、ファインダ６、フィルムボックス７が配置されている。測定部３の前方に被検眼Ｅに対向して対物レンズ８が配置され、対物レンズ８の背後の光路上には、孔あきミラー９、合焦レンズ１０、撮影レンズ１１、切換えミラー１２、フィルムボックス７が順次に配列されている。
【０００８】
孔あきミラー９の入射方向の光路上には、リレーレンズ１３、ミラー１４、撮影用光源１５、コンデンサレンズ１６、観察用光源１７が順次に配列されている。また、切換えミラー１２の反射方向の光路上には、フィールドレンズ１８、ハーフミラー１９、リレーレンズ２０、ミラー２１、ファインダ６が順次に配列され、ハーフミラー１９の反射方向の光路上には、テレビレンズ２２、撮像素子２３が設けられ、撮像素子２３の出力は画像処理部２４に接続されている。そして、基台１には判断処理部２５が設けられ、判断処理部２５の出力は移動機構部２、テレビモニタ２６に接続され、画像処理部２４及び微調整開始スイッチ５の出力が判断処理部２５に接続されている。
【０００９】
使用に際して、観察用光源１７を出射した光束は、コンデンサレンズ１６、ミラー１４、リレーレンズ１３を通り、孔あきミラー９の周辺で反射され、対物レンズ８、被検眼Ｅの瞳Ｅｐを通り眼底Ｅｒを照明する。照明された眼底Ｅｒからの反射光は、瞳Ｅｐ、対物レンズ８、孔あきミラー９の孔部を通り、合焦用レンズ１０、撮影レンズ１１を透過し、切換えミラー１２により反射され、フィールドレンズ１８の付近に結像する。更に、この光束はハーフミラー１９に反射され、テレビレンズ２２によりテレビカメラ２３の撮像素子上に眼底像を結像する。
【００１０】
また、ハーフミラー１９を透過した光束は、ミラー２１に反射されてファインダ６に至り、検者はファインダ６を覗きながら操作桿４を使用して粗調整を行い、粗調整が終了した後で微調整開始スイッチ５を押す。これにより、撮像素子上に結像した眼底像は画像処理部２４へ入力され、図２に示すような眼底像Ｅｒ’  がテレビモニタ２６に表示される。
【００１１】
このとき、画像処理部２４はこれら眼底像Ｅｒ’  上のエリアＡ〜Ｄのそれぞれの光量をＡ／Ｄ変換等により検出して、判断処理部２５へ伝達する。判断処理部２５には予め閾値が記憶されており、各エリアＡ〜Ｄの光量は閾値と比較され、閾値を越えたエリアＡ〜Ｄの光量が検出されたり又は各エリアＡ〜Ｄ同士の光量が比較され、その結果に基づいて測定部３の移動方向が決定され、フレアの入らない位置に測定部３が移動機構部２により移動される。例えば、エリアＡの光量が閾値を越えて他のエリアＢ〜Ｄに比べて大きければ、測定部３は被検眼Ｅに対して下方に移動される。このようにして、各エリアＡ〜Ｄの光量値によって、移動機構部２により被検眼Ｅに対する上下左右方向の位置合わせを行うことができる。
【００１２】
また、エリアＡ〜Ｄの光量がほぼ等しい値で増大している場合には、測定部３を前後方向に移動しながら、エリアＡ〜Ｄ内のフレアが最低となるようにして、被検眼Ｅの前後方向の位置合わせを行う。このような操作を繰り返すことにより、自動的に光学系を最適な位置に移動させることができる。
【００１３】
なお、被検眼Ｅに対する前後方向の位置合わせについては、既に公知である前後方向位置合わせ用の指標を投影する光学系や光源を設け、指標の眼底反射像の光量を検出して、その光量が最大となる位置に光学系を移動させるようにしてもよい。
【００１４】
更に、上述のような移動機構部２による測定部３の移動ではフレアの除去が困難な場合には、撮影光路上に新たに変倍光学系を配置してこれを判断処理部２５の指令により、図示しない駆動部を用いて駆動可能とし、撮影倍率を変化させてフレアを除去するようにしてもよい。
【００１５】
また、本実施例では光量検出手段の入力には撮像素子を使用しているが、複数の受光素子を使用することも可能である。
【００１６】
【発明の効果】
以上説明したように本発明に係る眼科撮影装置では、被検眼像の複数部位の光量を検出し、その検出結果に応じて最適位置に照明光学系と観察撮影光学系を移動させることにより、アライメントの微調整を自動的に行い、被検者の負担を軽減して撮影の失敗を回避することができ、操作性に優れた使い易い装置とすることができる。
【図面の簡単な説明】
【図１】実施例の構成図である。
【図２】撮像素子上の眼底像の説明図である。
【符号の説明】
２  移動機構部
３  測定部
４  粗調整用操作桿
５  微調整開始スイッチ
６  ファインダ
７  フィルムボックス
１５  撮影用光源
１７  観察用光源
２３  撮像素子
２４  画像処理部
２５  判断処理部
２６  テレビモニタ
【図１】
0003630795.tif 000002
【図２】
0003630795.tif 000003